(57)【要約】【課題】  プラスチック成型用等の金型を保管する際、長期間、金型に錆が発生しないようにする。【解決手段】  金型を収納する圧縮密封袋１０が、ＮＹ層（１５μｍ）／ＬＬＤＰＥ層（８０μｍ）からなる二層フイルムで形成されている。圧縮密封袋１０の開口部１１には、開口部１１を密封自在とする密封部材としてのチャック１２が設けられている。圧縮密封袋１０の一方の側面には吸引バルブ１３が設けられ、電気掃除機の吸引口等を当接することにより内部の空気を吸引出来るようになっている。金型を圧縮密封袋１０に収納した状態で脱気し、酸素を可及的に少なくした状態で保管する。【選択図】  図１
2019182454.tif 000002
【特許請求の範囲】
【請求項１】
金型を圧縮密封袋に収納する金型収納工程と、該金型収納工程で金型を収納した圧縮袋を密封する密封工程と、該密封工程で密封した圧縮密封袋から内部の空気を吸引する脱気工程とからなることを特徴とする金型保管方法。
【請求項２】
前記圧縮密封袋と金型との間に保護部材を配置することを特徴とする請求項１記載の金型保管方法。
【請求項３】
前記保護部材を金型に固着することを特徴とする請求項２記載の金型保管方法。
【請求項４】
前記保護部材の金型への固着が磁石によることを特徴とする請求項３記載の金型保管方法。
【請求項５】
防錆剤を圧縮密封袋に収納することを特徴とする請求項１、２、３又は４記載の金型保管方法。
【請求項６】
金型を収納可能な袋状であって、該袋の開口部を密封自在な密封部材と、該袋内部の空気を吸引できる吸引バルブとを有する圧縮密封袋であることを特徴とする金型保管具。
【請求項７】
前記金型の角部表面に配置する保護部材を備えることを特徴とする請求項６記載の金型保管具。
【請求項８】
前記保護部材に設けられ金型に固着するための磁石を備えることを特徴とする請求項７記載の金型保管具。
【発明の詳細な説明】
【技術分野】
【０００１】
本発明は、金型の保管方法に関し、さらに詳しくは、金型を圧縮袋で保管することにより、錆等の不都合が発生するのを防止できるようにした金型の保管方法及び保管具に関するものである。
【背景技術】
【０００２】
従来、プラスチック成型品等に用いる金型は、不使用時においてそのまま保管しておくと、その表面に錆びが発生したり、埃が付着したりすることがあり、金型のメンテナンスに時間と手間が掛かるものとなっていた。
【０００３】
そこで、シート材によって気化性防錆剤とともに金型を収納する金型包装用バッグが提案されていた（特許文献１参照）。この金型包装用バッグは、シート材によって形成され、金型全体を覆って収納する収納部と、収納部に設けられている金型の出し入れを自在とする開口部と、開口部を開閉自在に閉塞して収納部を封止する蓋部と、収納部に収納された気化性防錆剤とを備えているものであった。
【先行技術文献】
【特許文献】
【０００４】
【特許文献１】特開２００１−６３７６７号公報
【発明の概要】
【発明が解決しようとする課題】
【０００５】
しかしながら、上述した従来の金型包装用バッグにおいては、シート材を箱状に形成し、その内部空間に金型を収納するものであるので、金型の防錆を図る観点から十分なものでは無かった。すなわち、箱状の金型包装用バッグの内部空間は、金型の体積より大きいことが必要であり、その結果、金型と金型包装用バッグの内面との間には空間が介在するものである。したがって、金型包装用バッグの内部空間において、金型が占めていない空間が大きく、この空間に存在する酸素が錆びを発生させる恐れがあった。
【０００６】
また、金型は種々の形状・寸法のものが存在するので、種々の金型を保管しようとすると、それぞれの金型の形状・寸法に適合した箱状の金型包装用バッグを用意しなければならなかった。したがって、金型包装用バッグの製造コストが高くなるものであり、また、新たな形状・寸法の金型を保管する際は、新たに金型包装用バッグを製造しなければならなかった。
【０００７】
本願発明は、以上の問題点を解消するためになされたもので、金型を圧縮密封袋に収納することにより、錆の発生を可能な限り抑制できるとともに、各種形状・寸法の金型であっても、一種類の圧縮密封袋で保管することが出来るようにしたものである。
【課題を解決するための手段】
【０００８】
請求項１に係る金型保管方法は、金型を圧縮密封袋に収納する金型収納工程と、該金型収納工程で金型を収納した圧縮袋を密封する密封工程と、該密封工程で密封した圧縮密封袋から内部の空気を吸引する脱気工程とからなることを特徴として構成されている。
【０００９】
請求項２に係る金型保管方法は、圧縮密封袋と金型との間に保護部材を配置することを特徴として構成されている。
【００１０】
請求項３に係る金型保管方法は、保護部材を金型に固着することを特徴として構成されている。
【００１１】
請求項４に係る金型保管方法は、保護部材の金型への固着が磁石によることを特徴として構成されている。
【００１２】
請求項５に係る金型保管方法は、防錆剤を圧縮密封袋に収納することを特徴として構成されている。
【００１３】
請求項６に係る金型保管具は、金型を収納可能な袋状であって、該袋の開口部を密封自在な密封部材と、該袋内部の空気を吸引できる吸引バルブとを有する圧縮密封袋であることを特徴として構成されている。
【００１４】
請求項７に係る金型保管具は、金型の角部表面に配置する保護部材を備えることを特徴として構成されている。
【００１５】
請求項８に係る金型保管具は、保護部材に設けられ金型に固着するための磁石を備えることを特徴として構成されている。
【発明の効果】
【００１６】
請求項１に係る金型保管方法においては、金型を圧縮密封袋に収納、密封し、圧縮密封袋内の空気を吸引脱気するものであるので、圧縮密封袋は、金型の表面に密接状態に変形する。したがって、圧縮密封袋は、金型の形状と略同一の形状に変形することとなるので、圧縮密封袋内の空気は可及的に排除された状態になる。その結果、残存する酸素が極めて少量となり、防錆効果を効果的に発揮することが出来る。
【００１７】
また、圧縮密封袋は、金型の形状に即して変形するものであるので、各種形状の金型であっても適用することができる。したがって、金型の種類によって複数種類を用意する必要がなく、一種類の圧縮密封袋を用意すれば、すべての形状の金型を保管することが出来る。
【００１８】
さらに、圧縮密封袋に収納できる寸法の金型であれば、寸法の大きさに限らず全ての金型を収納できるものであるので、一種類の圧縮密封袋を用意すれば、すべての寸法の金型を保管できるものである。例えば、大、中、小の寸法の金型を保管する場合、大の寸法の金型保管できる圧縮密封袋を用意すれば、中及び小の寸法用の圧縮密封袋を用意する必要は無いものである。
【００１９】
さらにまた、圧縮密封袋を金型の形状に変形させて保管するものであるので、保管形態は金型と略同じ寸法となり、必要最低限の空間で保管することができ、省スペース化を図ることが出来る。
【００２０】
以上のように、本願発明の金型保管方法においては、金型の防錆を効果的に確保できるとともに、安価かつ容易に金型を保管できるものである。
【００２１】
請求項２記載の金型保管方法においては、収納した金型と、圧縮密封袋との間に保護部材を配置するので、圧縮密封袋が破損するのを防止することが出来る。すなわち、金型は、その形状により角部が鋭利な場合があり、そのような場合、角部が圧縮密封袋とこすれて圧縮密封袋が破れる恐れがある。したがって、そのような事態を回避するために、保護部材を介在させて直接接触しないようにし、圧縮密封袋を保護できるものである。
【００２２】
請求項３記載の金型保管方法においては、保護部材を金型に固着するようになっているので、保護部材が金型の所定箇所（例えば、角部）からずれることが無く、圧縮密封袋を確実に保護することが出来る。また、金型を圧縮収納袋に収納する際も、保護部材が金型に固着しているので、極めて容易に収納することができる。
【００２３】
請求項４記載の金型保管方法においては、保護部材の金型への固着を磁石によって行うので、保護部材の金型への固着を極めて簡単に行うことができ、かつ、圧縮密封袋から取り出して使用する際、保護部材を極めて簡単に取り外すことが出来る。また、磁力による固着であるので、金型に何ら不都合が生じること無く取り外すことが出来る。すなわち、例えば、両面テープ等の接着剤を介して固着する場合は、金型に接着剤が付着し、それを取り除く作業が必要になるが、磁石の場合はこのような作業が必要無いものである。
【００２４】
請求項５記載の金型保管方法においては、防錆剤を圧縮密封袋に金型と同様に収納するので、金型に錆びが発生するのを効果的に防止することが出来る。
【００２５】
請求項６記載の金型保管具においては、金型を収納可能な袋状であって、密封部材と吸引バルブとを有する圧縮密封袋であるので、金型を収納、密封することが出来、電気掃除機等の吸引手段を吸引バルブに接続することにより圧縮密封袋内の空気を吸引脱気することができる。したがって、圧縮密封袋内において、空気が略無い状態で金型を収納することが出来るので、金型に錆びが発生するのを有効に防止することが出来る。
【００２６】
請求項７に係る金型保管具においては、金型の角部表面に配置する保護部材を備えているので、金型の角部が圧縮密封袋に直接接触するのを防止することができるので、圧縮密封袋が金型により破損することが無い。
【００２７】
請求項８に係る金型保管具においては、保護部材に設けられ金型に固着するための磁石を備えているので、保護部材を簡単に金型に固着することができ、保護部材を装着した金型を容易に圧縮密封袋に収納することが出来る。
【図面の簡単な説明】
【００２８】
【図１】本願発明に使用する圧縮密封袋の平面図
【図２】本願発明に使用する圧縮密封袋の斜視図
【図３】本願発明に使用する磁石を取り付けた状態の保護部材の斜視図
【図４】保護部材を金型に配置固定した状態の斜視図
【発明を実施するための形態】
【００２９】
本願発明においては、金型を圧縮密封袋に収納して保管するものである。この圧縮密封袋は、吸引時に変形して脱気できるプラスチックフイルムで形成されておれば特に限定されるものでないが、防錆牲をより確保するために酸素バリア牲が高いものが好ましく、また、容易に破損しないような耐衝撃性、引裂き強度等が高いものが好ましい。また、その厚みは、コスト、取り扱い易さ、酸素バリア牲、耐衝撃性、引き裂き強度等を考慮して、適宜選択することができる。例えば、ＮＹ層（１５μｍ）／ＬＬＤＰＥ層（８０μｍ）からなる二層フイルムを用いることが出来る。
【００３０】
圧縮密封袋には、内部を密封状態（脱気状態）に維持できるように開口部を密封する密封部材が設けられている。密封部材としては特に限定されず、通常使用されているチャック等を用いることが出来るが、長期に亘る保管においては密封性の高いものが好ましい。
【００３１】
圧縮密封袋には、脱気するための吸引手段（例えば、電気掃除機）を接続する吸引バルブが設けられている。吸引バルブとしては、例えば、オートバルブ、ねじ込み式バルブ等を用いることが出来る。オートバルブの場合は、電気掃除機の吸込み口先端を押圧及び解除により吸引することができ、ねじ込み式バルブの場合は、キャップの開け閉めで脱気の程度を調整することが出来る。
【００３２】
金型を圧縮密封袋に収納する際、保護部材を金型の角部に配置した状態で行うことが、圧縮密封袋の破損を防止する観点から好ましい。保護部材としては、金型の角部が圧縮密封袋に影響を与えない材質であれば特に限定されないが、発泡ウレタン等の発泡プラスチックを用いることが好ましい。また、保護部材の外表面（金型と当接する側と反対の面）は、曲面に形成することが好ましい。
【００３３】
保護部材を金型に配置するには、例えば金型が直方体の場合、８つの頂点が存在することとなるので、少なくともこの８つの頂点をカバーするように配置する。８つの頂点をカバーするには、１つの頂点に１個の保護部材を配置して全部で８個の保護部材を用いても、２つの頂点に１個の保護部材を配置して全部で４個の保護部材を用いても、４つの頂点に１個の保護部材を配置して全部で２個の保護部材を用いてもよい。
【００３４】
圧縮密封袋には、金型とともに防錆剤を収納することが、防錆効果をより発揮するので好ましい。防錆剤としては、特に限定されず、従来使用されているものを用いることが出来る。
【００３５】
次に、本願発明による金型保管方法の一実施例について図面を参照して説明する。
【００３６】
図１は本願発明に使用する圧縮密封袋の平面図、図２は本願発明に使用する圧縮密封袋の斜視図、図３は本願発明に使用する磁石を取り付けた状態の保護部材の斜視図、図４は保護部材を金型に配置固定した状態の斜視図である。
【００３７】
図１及び図２において、１０は圧縮密封袋で、ＮＹ層（１５μｍ）／ＬＬＤＰＥ層（８０μｍ）からなる二層フイルムで形成されており、内部に金型を収納できるだけの空間を確保できるようにマチが形成されている。圧縮密封袋１０の上端縁は開口されており、この開口部１１には、開口部１１を密封自在とする密封部材としてのチャック１２が設けられている。また、圧縮密封袋１０の一方の側面には吸引バルブ１３が設けられ、電気掃除機の吸引口等を当接することにより内部の空気を吸引出来るようになっている。
【００３８】
図３において、２０は保護部材で、この保護部材２０は発泡ウレタンで形成されており、金型の頂点を構成する３面に密着できるように、内面において、互いに直行する３面２１ａ、２１ｂ、２１ｃが形成されるとともに、所定の厚さに形成されている。また、保護部材２０の直行面２１ａ、２１ｂ、２１ｃの内少なくとも一面に、磁石３０が面一となるように取り付けられている。
【００３９】
以上のような圧縮密封袋１０に金型を収納保管するには、まず、図４に示すように、保護部材２０を金型ａの各頂点に配置固定する。すなわち、保護部材２０の各直行面２１ａ、２１ｂ、２１ｃを頂点に被せる。すると、磁石３０が金型ａに磁着し、保護部材２０は金型ａに固定される。
【００４０】
次に、この一体となった金型ａと保護部材２０を、圧縮密封袋１０の内部に収納するとともに、防錆剤（図示せず）も同様に収納する。そして、チャック１２を閉めて密封状態とした後、電気掃除機等の吸引口を吸引バルブ１３に当接し、圧縮密封袋１０内部の空気を吸引脱気する。すると、圧縮密封袋１０は金型ａ及び保護部材２０に密着し、内部の空気（酸素）は可能な限り排除されるとともに、一体に固定される。
【００４１】
したがって、金型ａは略酸素に触れない状態で保管されることとなり、錆が発生するのを効果的に抑制することが出来る。
【符号の説明】
【００４２】
１０  圧縮密封袋
１１  開口部
１２  密封部材
１３  吸引バルブ
２０  保護部材
２１  直行面
３０  磁石
ａ    金型
【図１】
2019182454.tif 000003
【図２】
2019182454.tif 000004
【図３】
2019182454.tif 000005
【図４】
2019182454.tif 000006